【事件の表示】
　特願２０１３−１３８４０８「遊技機」拒絶査定不服審判事件〔平成２７年　１月１９日出願公開、特開２０１５−　　９０６４〕について、次のとおり審決する。
【結　論】
　本件審判の請求は、成り立たない。
【理　由】
１　手続の経緯
　本願は、平成２５年７月１日に特許出願されたものであって、平成２７年６月２５日付けで拒絶理由通知がなされ、これに対して同年８月２６日付けで手続補正書が提出され、これに対して同年１０月１３日付けで拒絶理由通知がなされ、これに対して同年１２月１８日付けで手続補正書が提出されたが、平成２８年５月１３日付けで拒絶査定がなされ、これに対して、同年８月１６日付けで拒絶査定不服審判の請求がなされたものである。
２　本願発明
　本願の請求項１〜２に係る発明は、平成２７年１２月１８日付け手続補正書により補正された特許請求の範囲の請求項１〜２に係る発明であるところ、その請求項１に記載された発明（以下、「本願発明と」いう。）は次の事項により特定されるものと認める。
「　【請求項１】
Ａ　遊技者が選択動作を行うことを可能とする選択期間を生じさせる選択期間設定手段と、
Ｂ　受光部における受光結果に基づき遊技機前方に存在する監視範囲の状態情報を導出可能な情報導出手段と、
Ｃ　前記状態情報に基づき前記選択動作の態様を特定し、前記選択期間において特典発生態様となる選択動作が行われた後に特典が遊技者に付与されるようにするための付与手段と、
Ｄ　前記選択動作の態様に対応した画像データを予め記憶するデータ記憶手段と、
Ｅ　前記選択期間において確定した遊技者の選択動作の態様に対応した画像データを前記データ記憶手段から読み出すデータ読み出し手段と、
Ｆ　当該データ読み出し手段が読み出した画像データに対応した画像を表示手段に表示させる画像表示実行手段と、
Ｇ　前記特典発生態様となる前記選択動作の態様を遊技者に認識可能とさせる報知が、前記選択期間が終了する前に行われ得るようにする手段と、
を備えていることを特徴とする遊技機。」
（Ａ〜Ｇは、本願発明を分説するために当審で付与した。）
３　拒絶理由の概要
　平成２７年１０月１３日付けの拒絶理由の概要は次のとおりである。
（１）本願の請求項１、２に係る発明は、その出願前日本国内または外国において頒布された下記の刊行物に記載された発明であるから、特許法第２９条第１項第３号に該当し、特許を受けることができない。
（２）本願の請求項１、２に係る発明は、その出願前日本国内または外国において頒布された下記の刊行物に記載された発明に基いて、その出願前にその発明の属する技術の分野における通常の知識を有する者が容易に発明をすることができたものであるから、特許法第２９条第２項の規定により特許を受けることができない。
刊行物１：特開２０１０−１７２４１８号公報
４　刊行物１に記載された発明
　平成２７年１０月１３日付けの拒絶理由で引用した特開２０１０−１７２４１８号公報（以下、「刊行物１」という。）には、図面とともに以下の事項が記載されている（下線は審決で付した。以下同じ。）。 
（ア）「【００２８】
　以下、図面を参照しつつ、本発明の一実施形態を詳細に説明する。図１は、本実施の形態におけるパチンコ遊技機の正面図であり、主要部材の配置レイアウトを示す。
パチンコ遊技機
１
遊技盤
２
から構成されている。
（イ）「【００４５】
　
遊技盤２の所定位置
）には、パチンコ遊技機１の前方
における
撮影範囲
撮影するカメラ３３
カメラ３３は、
固体撮像素子を用いて構成され、
入射光を電気信号に変換する
撮影画像データを生成する。
（ウ）「【００７８】
　パチンコ遊技機１における遊技の進行中などには、
予め設けられた所定条件が成立したときに、カメラ３３の撮影により生成された撮影画像データに基づく特別演出
所定条件としては、
パチンコ遊技機１における遊技の進行に関して予め設定可能なもの
（エ）「【００８１】
　
パチンコ遊技機１には、
演出制御基板１２といった、
制御基板が搭載されている。
（オ）「【０１６５】
　図１３に示す
表示制御部１２２
には、
画像データメモリ１４２
が含まれている。
　【０１６６】
　
画像データメモリ１４２は、
画像表示装置５の表示領域に各種画像を表示するために使用される画像データを予め
記憶する。
（カ）「【０２３１】
　また、
演出制御基板１２の側では
特別演出となる演出動作を実行する
図２７のフローチャートに示すような特別演出制御処理が実行される。
（キ）「【０２４８】
　図２９（Ｂ）に示す第２演出画像合成処理では、まず、ステップＳ６７１の処理と同様にして、演出動作状態に対応する演出画像データを画像データメモリ１４２から読み出す（ステップＳ６８１）。また、撮影画像データを用いて対象物の動作態様を検知した結果に基づき、その動作態様に対応する演出画像データを画像データメモリ１４２から読み出す（ステップＳ６８２）。そして、ステップＳ６７１とステップＳ６７２にて読み出された演出画像データに示される仮想画像どうしを合成する（ステップＳ６８３）。こうして生成された合成画像は、ステップＳ６７４の処理と同様にして、画像表示装置５の表示領域に表示される（ステップＳ６７５）。なお、ステップＳ６８１やステップＳ６８２にて読み出される演出画像データの一方又は双方は、予め撮影などにより作成された実写画像を示す画像データであってもよい。この場合には、撮影画像データに示される対象物の実写画像は演出画像の合成に使用されないが、
画像データメモリ１４２から読み出された演出画像データに対応して
演出画像を生成する
（ク）「【０２５０】
　ステップＳ６１３における演出動作制御が実行された後には、例えば演出制御プロセスタイマ値や特定演出パターンにおける演出動作状態の設定などに基づいて、
特別演出を終了するタイミングとなったか否かが判定される（ステップＳ６１４）。
特別演出を終了するタイミングであると判定されれば（ステップＳ６１４；Ｙｅｓ）、
特別演出を終了する設定が行われる（ステップＳ６１５）
ステップＳ６１５における終了設定により、カメラ３３の撮影動作を停止させ、撮影画像データの生成が停止されるようにしてもよい。
　【０２５１】
　次に、特別演出となる演出動作を実行するための具体的な制御の一例について説明する。パチンコ遊技機１では、例えばスーパーリーチＡ〜スーパーリーチＤといったスーパーリーチのリーチ演出が開始されたことや、大当り遊技状態において大当り中演出が開始されたことなどにより、所定条件が成立したときに、演出制御用マイクロコンピュータ１２０のＣＰＵ１３１が図２７に示す
ステップＳ６０４の処理を実行することなどにより、特別演出となる演出動作が開始される。このときには、カメラ３３による撮影が開始され、
遊技者ＰＰの左手ＬＨが動作態様の検知対象物とされる。
（ケ）「【０２５９】
　
図３２は、特別演出となる演出動作
として、
演出画像の表示動作
を示している。
　【０２６０】
　その後、例えば図３２（Ｂ１）に示すように画像表示装置５の表示領域に「じゃん・けん・！」といったメッセージを示す演出画像が表示されるとともに、キャラクタ画像ＣＨ２がじゃんけん動作を開始し、さらに、スピーカ８Ｌ、８Ｒから演出画像の変化に伴った音声が出力されることなどにより、じゃんけん動作の開始を報知する。この報知内容に基づいて、
遊技者ＰＰがじゃんけん動作のために左手ＬＨを動作させたときには、
左手ＬＨの形状などに対応して、
演出画像ＶＧ２を表示させる。この演出画像ＶＧ２を表示させるときには、図２７に示すステップＳ６１３の演出動作制御において、
左手ＬＨを検知対象物とする動作態様の検知結果に対応して、画像データメモリ１４２から読み出された演出画像データに示される
画像が合成されてもよい。
　【０２６１】
　続いて、例えば
図３２（Ｃ１）に示すように画像表示装置５の表示領域に「ぽん！」といったメッセージを示す演出画像が表示されるとともに、キャラクタ画像ＣＨ２がじゃんけん動作を行い、
じゃんけん動作の実行タイミングを報知する。
遊技者ＰＰが
「チョキ」の形状に変化させている。このような左手ＬＨの形状変化に対応して、演出画像ＶＧ２の形状を図３２（Ｃ１）に示すような「チョキ」の形状に変化させることで、じゃんけん動作の実行に応じた演出画像の表示が行われる
・・・
　【０２６３】
　
じゃんけん動作を実行する所定タイミングにて遊技者ＰＰの左手ＬＨにおける形状変化を
その形状が「グー」及び「チョキ」及び「パー」のいずれ
　【０２６４】
　例えば
図３２（Ｃ１）に示すように遊技者ＰＰがじゃんけん動作で勝ったような演出画像が表示された後、
大当り組合せの確定飾り図柄が導出表示される。
（コ）「【０２８９】
　以上説明したように、上記実施の形態におけるパチンコ遊技機１では、例えば
遊技者ＰＰの左手ＬＨ
といった、検知対象物をカメラ３３により撮影して生成された撮影画像データに基づいて、図２７に示すステップＳ６１０の処理などにより、検知対象物の動作態様が検知される。
「大当り」
を付与する
表示させる
（サ）【図２】には、符号「１２」で示された「演出制御基板」が「符号１２１」で示された「表示制御部」を含むことが図示されている。
（シ）【図２７】には「Ｓ６０４」の「特別演出初期設定」の処理と、「Ｓ６０９」の「撮像画像データを解析」する処理と、「Ｓ６１０」の「対象物の動作態様を検知」する処理と、「Ｓ６１３」の「演出制御データに従った演出動作制御」の処理と、「特別演出終了？」で「ＹＥＳ」となるかが選択される「Ｓ６１４」の処理と、「Ｓ６１４」の処理の後に行われる「特別演出終了設定」を行う「Ｓ６１５」の処理とが行われるフローチャートが記載されている。
（ス）【図３２】の（Ｃ１）には、「ぽん！」という文字とともに表示されるキャラクタの手の形状「パー」が図示されている。
　上記記載事項（ア）〜（ス）より、以下の事項が導かれる。
（セ）上記（カ）の段落【０２３１】には、「
演出制御基板１２の側では
特別演出となる演出動作を実行する
図２７のフローチャートに示すような特別演出制御処理が実行される。
　よって、上記（カ）の段落【０２３１】の記載事項及び上記（シ）の記載事項により、
図２７には、演出制御基板１２により実行される、特別演出となる演出動作を実行する特別演出制御処理である、「Ｓ６０９」の「撮像画像データを解析」する処理と、「Ｓ６１０」の「対象物の動作態様を検知」する処理と、「Ｓ６１３」の「演出制御データに従った演出動作制御」の処理と、「特別演出終了？」で「ＹＥＳ」となるかが選択される「Ｓ６１４」の処理と、「Ｓ６１４」の処理の後に行われる「Ｓ６１５」の「特別演出終了設定」の処理が示されている
　よって、刊行物１には、
演出制御基板１２が、「Ｓ６０４」の「特別演出初期設定」の処理と、「Ｓ６０９」の「撮像画像データを解析」する処理と、「Ｓ６１０」の「対象物の動作態様を検知」する処理と、「Ｓ６１３」の「演出制御データに従った演出動作制御」の処理と、「特別演出終了？」で「ＹＥＳ」となるかが選択される「Ｓ６１４」の処理と、「Ｓ６１５」の「特別演出終了設定」の処理からなる特別演出の制御処理を行う
（ソ）上記（ウ）の段落【００７８】には、「パチンコ遊技機１における遊技の進行中などには、
予め設けられた所定条件が成立したときに、カメラ３３の撮影により生成された撮影画像データに基づく特別演出
所定条件としては、
パチンコ遊技機１における遊技の進行に関して予め設定可能なもの
ステップＳ６０４の処理を実行することなどにより、特別演出となる演出動作が開始される。このときには、カメラ３３による撮影が開始され、
遊技者ＰＰの左手ＬＨが動作態様の検知対象物とされる。
　また、上記（ク）の段落【０２５０】には、「
特別演出を終了するタイミングとなったか否かが判定される（ステップＳ６１４）。
特別演出を終了するタイミングであると判定されれば（ステップＳ６１４；Ｙｅｓ）、
特別演出を終了する設定が行われる（ステップＳ６１５）
ステップＳ６１５における終了設定により、カメラ３３の撮影動作を停止させ、撮影画像データの生成が停止されるようにしてもよい。
特別演出が終了するタイミングと判断されると「Ｓ６１５」でカメラ３３の撮影が停止される
「Ｓ６１４」の処理の後に「Ｓ６１５」
　また、上記（セ）の認定事項により、
「Ｓ６０４」、「Ｓ６１４」、「Ｓ６１５」を含む特別演出の制御処理は演出制御基板１２により実行される
撮影の開始及び停止は演出制御基板１２により行われる
　よって、上記（ウ）、（ク）、（シ）の記載事項及び上記（セ）の認定事項により、
演出制御基板１２は、カメラ３３による遊技者ＰＰの左手ＬＨの撮影期間を、パチンコ遊技機１における遊技の進行に応じて実行される撮影画像データに基づく特別演出が開始する（「Ｓ６０４」）と開始させ、特別演出の終了判定（「Ｓ６１４；Ｙｅｓ」）後に終了する（「Ｓ６１５」）
　また、上記（ケ）の段落【０２６０】には「
遊技者ＰＰがじゃんけん動作のために左手ＬＨを動作させたときには
じゃんけん動作を実行する所定タイミングにて遊技者ＰＰの左手ＬＨにおける形状変化を
その形状が「グー」及び「チョキ」及び「パー」のいずれ
遊技者ＰＰは、左手ＬＨの形状を「グー」、「チョキ」又は「パー」から選択するじゃんけん動作をする
　よって、上記（ウ）、上記（ク）、上記（ケ）の段落【０２６０】、【０２６３】、上記（シ）の記載事項及び上記（セ）の認定事項により、
演出制御基板１２は、パチンコ遊技機１における遊技の進行に応じて実行される撮影画像データに基づく特別演出が開始されると開始され、特別演出の終了判定後に終了する期間である、遊技者ＰＰが手の形状を選択するじゃんけん動作を撮影する期間を生じさせる
　そして、上記（エ）の段落【００８１】には、「
パチンコ遊技機１には、
演出制御基板１２といった、
制御基板が搭載されている。
　よって、上記（ウ）、上記（エ）、上記（ク）の段落【０２５０】〜【０２５１】、上記（ケ）の段落【０２６０】、【０２６３】、上記（シ）の記載事項及び上記（セ）の認定事項により、
パチンコ遊技機１における遊技の進行に応じて実行される撮影画像データに基づく特別演出が開始されると開始され、特別演出の終了判定後に終了する期間である、遊技者ＰＰが手の形状を選択するじゃんけん動作を撮影する期間を生じさせる演出制御基板１２を、パチンコ遊技機１が有する
（タ）上記（ア）の段落【００２８】には、「
パチンコ遊技機
１
遊技盤
２
から構成されている。
遊技盤２の所定位置
）には、パチンコ遊技機１の前方
における
撮影範囲
撮影するカメラ３３
カメラ３３は、
固体撮像素子を用いて構成され、
入射光を電気信号に変換する
撮影画像データを生成する。
　よって、上記（ア）〜（イ）の記載事項により、刊行物１には、
パチンコ遊技機１が、固体撮像素子に入射する入射光を変換した電気信号により、パチンコ遊技機１の前方に存在する撮影範囲の撮影画像データを生成するカメラ３３を有する
（チ）上記（コ）の段落【０２８９】には、「パチンコ遊技機１では、例えば
遊技者ＰＰの左手ＬＨ
といった、検知対象物をカメラ３３により撮影して生成された撮影画像データに基づいて、図２７に示すステップＳ６１０の処理などにより、検知対象物の動作態様が検知される。
遊技者ＰＰがじゃんけん動作のために左手ＬＨを動作させたときには、
左手ＬＨを検知対象物とする動作態様
対象物の動作態様が検知されるステップＳ６１０の処理は、演出制御基板１２が実行する
　したがって、上記（コ）、上記（ケ）の段落【０２６０】の記載事項及び上記認定事項（セ）により、
演出制御基板１２は、撮影画像データに基づいて遊技者ＰＰのじゃんけん動作の動作態様を検知するものである
　また、上記（ク）の段落【０２５１】には、「
特別演出となる演出動作が開始される。このときには、カメラ３３による撮影が開始され、・・・遊技者ＰＰの左手ＬＨが動作態様の検知対象物とされる。
遊技者ＰＰが
「チョキ」の形状に変化させている。このような左手ＬＨの形状変化
図３２（Ｃ１）に示す
じゃんけん動作に応じた演出画像の表示
特別演出となる演出動作が開始されると遊技者ＰＰのじゃんけん動作の撮影が開始され、遊技者ＰＰがじゃんけん動作をしたときにはじゃんけん動作に応じた演出画像の表示が行われる
　また、上記（ソ）の認定事項により、
特別演出が開始されてから、
特別演出が終わるまでは遊技者ＰＰが手の形状を選択するじゃんけん動作を撮影する期間である
特別演出となる演出動作が開始されて遊技者ＰＰのじゃんけん動作の撮影が開始され、遊技者ＰＰがじゃんけん動作をし、じゃんけん動作に応じた演出画像の表示が行われるときは、じゃんけん動作を撮影する期間内である
　よって、上記（ク）の段落【０２５１】、上記（ケ）の【０２６１】の記載事項及び上記（ソ）の認定事項より、
遊技者ＰＰのじゃんけん動作を撮影する期間におけるじゃんけん動作に応じた演出画像の表示が行われる
　また、上記（ケ）の段落【０２６４】には「図３２（Ｃ１）に示すように
遊技者ＰＰがじゃんけん動作で勝った
表示された後、
大当り組合せの確定飾り図柄が導出表示される。
「大当り」
を付与する
表示させる
　したがって、上記（ク）の段落【０２５１】、上記（ケ）の段落【０２６１】、【０２６４】、上記（コ）の【０２８９】の記載事項、及び上記（ソ）の認定事項により、遊技者ＰＰのじゃんけん動作を撮影する期間における、遊技者ＰＰがキャラクタに対して遊技者ＰＰが勝利するじゃんけん動作に応じた表示の後に「大当り」の付与を表示する、すなわち、
遊技者ＰＰのじゃんけん動作を撮影する期間において遊技者ＰＰが勝利するじゃんけん動作が行われた後に「大当り」の付与を表示する
　また、上記（ケ）の段落【０２５９】には、「
図３２は、特別演出
して、
演出画像の表示動作
を示している。
特別演出の演出動作の制御処理は演出制御基板１２により行われる
演出画像の表示動作の制御処理は演出制御基板１２により行われる
　したがって、上記（ク）の段落【０２５１】、上記（ケ）の段落【０２５９】〜【０２６１】、【０２６４】、上記（コ）の段落【０２８９】の記載事項及び上記（セ）、（ソ）の認定事項により、刊行物１には、
撮影画像データに基づいて遊技者ＰＰのじゃんけん動作の動作態様を検知し、遊技者ＰＰのじゃんけん動作を撮影する期間において遊技者ＰＰが勝利するじゃんけん動作が行われた後、「大当り」の付与を表示する手段（演出制御基板１２）
（ツ）上記（オ）の段落【０１６６】には、「
画像データメモリ１４２は、
画像表示装置５の表示領域に各種画像を表示するために使用される画像データを予め
記憶する。
遊技者ＰＰがじゃんけん動作のために左手ＬＨを動作させたときには、
左手ＬＨの形状などに対応して、
演出画像ＶＧ２を表示させる。この演出画像ＶＧ２を表示させるときには、
左手ＬＨを検知対象物とする動作態様の検知結果に対応して、画像データメモリ１４２から読み出された演出画像データに示される
画像が合成されてもよい。
予め
記憶
画像データ
演出画像データ
が含まれている
　よって、上記（オ）の段落【０１６６】、上記（ケ）の【０２６０】の記載事項により、
画像データメモリ１４２は遊技者ＰＰのじゃんけん動作の動作態様に対応した演出画像データを予め記憶する
　また、上記（オ）の段落【０１６５】には「図１３に示す
表示制御部１２２には、
画像データメモリ１４２
が含まれている。
演出制御基板１２は表示制御部１２１を含む
パチンコ遊技機１には、
演出制御基板１２といった、
制御基板が搭載されている。
パチンコ遊技機１は画像データメモリ１４２を有する
　よって、上記（ウ）、上記（オ）、上記（エ）、上記（ケ）の段落【０２６０】及び上記（サ）の記載事項により、刊行物１には、
パチンコ遊技機１が遊技者ＰＰのじゃんけん動作の動作態様に対応した演出画像データを予め記憶する画像データメモリ１４２を有する
（テ）上記（ク）の段落【０２５１】には、「
特別演出となる演出動作が開始される。このときには、カメラ３３による撮影が開始され、
遊技者ＰＰの左手ＬＨが動作態様の検知対象物とされる。
遊技者ＰＰがじゃんけん動作のために左手ＬＨを動作させたときには、
図２７に示すステップＳ６１３の演出動作制御において、
左手ＬＨを検知対象物とする動作態様の検知結果に対応して、画像データメモリ１４２から読み出された演出画像データに示される
特別演出となる演出動作が開始されて遊技者ＰＰがじゃんけん動作の撮影が開始されると、遊技者ＰＰがじゃんけん動作の動作態様の検知結果に対応して、画像データメモリ１４２から演出画像データが読み出される
　また、上記（ソ）の認定事項により、
特別演出が開始されてから、
特別演出が終わるまでは遊技者ＰＰが手の形状を選択するじゃんけん動作を撮影する期間である
　よって、上記（ク）の段落【０２５１】、上記（ケ）の段落【０２６０】の記載事項及び上記（ソ）の認定事項により、
特別演出となる演出動作が開始されて遊技者ＰＰがじゃんけん動作の撮影が開始され、遊技者ＰＰがじゃんけん動作の動作態様の検知結果が得られるのは、遊技者ＰＰのじゃんけん動作を撮影する期間中
　また、上記（セ）の認定事項により、上記（ケ）の段落【０２６０】に記載の「
演出画像データ」を「読み出」すステップＳ６１３の演出動作制御は演出制御基板１２により行われる
　よって、上記（ク）の段落【０２５１】、上記（ケ）の段落【０２６０】の記載事項及び上記（セ）、（ソ）の認定事項により、刊行物１には、
遊技者ＰＰのじゃんけん動作を撮影する期間中に検知された遊技者ＰＰのじゃんけん動作の動作態様に対応する演出画像データを画像データメモリ１４２から読み出す手段（演出制御基板１２）
　
（ト）上記（ケ）の段落【０２５９】には、「
図３２は、特別演出となる演出動作
して、
演出画像の表示動作
を示している。
画像データメモリ１４２から読み出された演出画像データに対応して
演出画像を生成する
図３２（Ｃ１）に示すように画像表示装置５
に
演出画像が表示される
　そして、上記認定事項（セ）により
特別演出の制御処理は演出制御基板１２が実行する
特別演出の演出画像の表示動作の制御処理は、演出制御基板１２が実行する
　したがって、上記（キ）、上記（ケ）の段落【０２５９】、【０２６１】の記載事項及び上記認定事項（セ）により、刊行物１には
画像データメモリ１４２から読み出された演出画像データに対応する演出画像を画像表示装置５に表示させる手段（演出制御基板１２）
（ナ）上記（ケ）の段落【０２５９】には、「
図３２は、特別演出となる演出動作
して、
演出画像の表示動作
を示している。
図３２（Ｃ１）に示すように画像表示装置５の表示領域に「ぽん！」といったメッセージを示す演出画像が表示されるとともに、キャラクタ画像ＣＨ２がじゃんけん動作を行い、
じゃんけん動作の実行タイミングを報知する。
「ぽん！」という文字とともにキャラクタの手の形状が表示される
特別演出の制御処理は演出制御基板１２が実行する
演出画像の表示動作の制御処理は、演出制御基板１２により行われる
　よって、上記（ケ）の段落【０２５９】、【０２６１】、上記（ス）の記載事項及び上記（セ）の認定事項により、
演出制御基板１２は、特別演出でのじゃんけん動作の実行タイミングで、キャラクタのじゃんけん動作を表す手の画像の画面上で表示がなされるように制御処理を行う
　また、上記（ク）の段落【０２５０】には、「
特別演出を終了するタイミングとなったか否かが判定される（ステップＳ６１４）。
特別演出を終了するタイミングであると判定されれば（ステップＳ６１４；Ｙｅｓ）、
特別演出を終了する設定が行われる（ステップＳ６１５）
ステップＳ６１５における終了設定により、カメラ３３の撮影動作を停止させ、撮影画像データの生成が停止されるようにしてもよい。
カメラ３３による撮影が開始され、
遊技者ＰＰの左手ＬＨが動作態様の検知対象物とされる。
遊技者ＰＰがじゃんけん動作のために左手ＬＨを動作させたときには
「Ｓ６１４」の処理の後に「Ｓ６１５」の処理が行われる
　したがって、上記（ク）の段落【０２５０】〜【０２５１】、上記（ケ）の段落【０２５９】〜【０２６１】、上記（シ）〜（ス）の記載事項及び上記（セ）の認定事項により、特別演出でのじゃんけん動作の実行タイミングで、
演出制御基板１２が、キャラクタのじゃんけん動作を表す手の画像の画面上で表示がなされるようにする
遊技者ＰＰのじゃんけん動作を撮影する期間が終了する
前である
　そして、上記（ソ）の認定事項により
演出制御基板１２はパチンコ遊技機１が備えるものである
　したがって、上記（ク）の段落【０２５０】〜【０２５１】、上記（ケ）の段落【０２５９】〜【０２６１】、上記（シ）〜（ス）の記載事項及び上記（セ）〜（ソ）の認定事項により、刊行物１には、
キャラクタのじゃんけん動作を表す手の画像の画面上の表示が、遊技者ＰＰのじゃんけん動作を撮影する期間が終了する前になされるようにする手段（演出制御基板１２）を備えるパチンコ遊技機１
　上記（ア）〜（ス）の記載事項及び（セ）〜（ナ）の認定事項から、刊行物１には、以下の発明（「刊行物１発明」という。）が記載されていると認められる。
　
「ａ　パチンコ遊技機１における遊技の進行に応じて実行される撮影画像データに基づく特別演出が開始されると開始され、特別演出の終了判定後に終了する期間である、遊技者ＰＰが手の形状を選択するじゃんけん動作を撮影する期間を生じさせる演出制御基板１２と（上記認定事項（ソ））、
ｂ　固体撮像素子に入射する入射光を変換した電気信号により、パチンコ遊技機１の前方に存在する撮影範囲の撮影画像データを生成するカメラ３３と（上記認定事項（タ））、
ｃ　撮影画像データに基づいて遊技者ＰＰのじゃんけん動作の動作態様を検知し、遊技者ＰＰのじゃんけん動作を撮影する期間において遊技者ＰＰが勝利するじゃんけん動作が行われた後、「大当り」の付与を表示する手段（演出制御基板１２）と（上記認定事項（チ））、
ｄ　遊技者ＰＰのじゃんけん動作の動作態様に対応した演出画像データを予め記憶する画像データメモリ１４２と（上記認定事項（ツ））、
ｅ　遊技者ＰＰのじゃんけん動作を撮影する期間中に検知された遊技者ＰＰのじゃんけん動作の動作態様に対応する演出画像データを画像データメモリ１４２から読み出す手段（演出制御基板１２）（演出制御基板１２）と（上記認定事項（テ））、
ｆ　画像データメモリ１４２から読み出された演出画像データに対応する演出画像を画像表示装置５に表示させる手段（演出制御基板１２）と（上記認定事項（ト））、
ｇ　キャラクタのじゃんけん動作を表す手の画像の画面上の表示が、遊技者ＰＰのじゃんけん動作を撮影する期間が終了する前になされるようにする手段（演出制御基板１２）と、を備えるパチンコ遊技機１（上記認定事項（ナ））」
５　対比・判断　
　本願発明と刊行物１発明とを対比する。なお、本願発明の構成Ａ〜Ｇ及び刊行物１発明の構成ａ〜ｇに対応して見出し（ａ）〜（ｇ）を付した。
（ａ）　刊行物１発明の「じゃんけん動作」は「遊技者ＰＰが手の形状を選択する」動作であるから、本願発明の「選択動作」に相当する。そして、刊行物１発明の「パチンコ遊技機１における遊技の進行に応じて実行される撮影画像データに基づく特別演出が開始されると開始され、特別演出の終了判定後に終了する期間である、遊技者ＰＰが手の形状を選択するじゃんけん動作を撮影する期間」は、選択動作としてのじゃんけん動作が撮影される期間である以上、本願発明の「遊技者が選択動作を行うことを可能とする選択期間」に相当するといえる。
　よって、刊行物１発明の「パチンコ遊技機１における遊技の進行に応じて実行される撮影画像データに基づく特別演出が開始されると開始され、特別演出の終了判定後に終了する期間である、遊技者ＰＰが手の形状を選択するじゃんけん動作を撮影する期間を生じさせる演出制御基板１２」は、本願発明の「遊技者が選択動作を行うことを可能とする選択期間を生じさせる選択期間設定手段」に相当する。
（ｂ）　刊行物１発明の「固体撮像素子」は、本願発明の「受光部」に相当するから、刊行物１発明の「固体撮像素子に入射する入射光を変換した電気信号」は、本願発明の「受光部における受光結果」に相当する。また、刊行物１発明の「パチンコ遊技機１」、「撮影範囲」及び「撮影画像データ」は、それぞれ、本願発明の「遊技機」、「監視範囲」及び「状態情報」に相当し、刊行物１発明の「撮影画像データを生成する」ことは、本願発明の「状態情報を導出可能な」ことを意味している。
　したがって、刊行物１発明の「固体撮像素子に入射する入射光を変換した電気信号により、パチンコ遊技機１の前方に存在する撮影範囲の撮影画像データを生成するカメラ３３」は、本願発明の「受光部における受光結果に基づき遊技機前方に存在する監視範囲の状態情報を導出可能な情報導出手段」に相当する。
（ｃ）　上記（ｂ）で検討したように、刊行物１発明の「撮影画像データ」は本願発明の「状態情報」に相当する。また、刊行物１発明の「じゃんけん動作の動作態様」は、本願発明「前記選択動作の態様」に相当する。
　また、上記（ａ）で検討したように刊行物１発明の「遊技者ＰＰが手の形状を選択するじゃんけん動作を撮影する期間」は、本願発明の「選択期間」に相当するものであり、刊行物１発明の「遊技者ＰＰのじゃんけん動作を撮影する期間」は、刊行物１発明の構成（ａ）の「遊技者ＰＰが手の形状を選択するじゃんけん動作を撮影する期間」のことであるから、本願発明の「選択期間」に相当する。
　また、刊行物１発明の「大当り」は、本願発明の「遊技者に付与される」「特典」に相当し、刊行物１発明の「遊技者ＰＰが勝利するじゃんけん動作」は、その後に「大当り」の付与を表示するじゃんけん動作であるから、本願発明の「特典発生態様となる選択動作」に相当する。
　そして、刊行物１発明の「「大当り」の付与を表示する」ことは、本願発明の「特典が遊技者に付与されるようにする」機能を有する。
　したがって、刊行物１発明の「撮影画像データに基づいて遊技者ＰＰのじゃんけん動作の動作態様を検知し、遊技者ＰＰのじゃんけん動作を撮影する期間において遊技者ＰＰが勝利するじゃんけん動作が行われた後、「大当り」の付与を表示する手段（演出制御基板１２）」は、本願発明の「前記状態情報に基づき前記選択動作の態様を特定し、前記選択期間において特典発生態様となる選択動作が行われた後に特典が遊技者に付与されるようにするための付与手段」に相当する。
（ｄ）　上記（ａ）で検討したように、刊行物１発明の「じゃんけん動作」は、本願発明の「選択動作」に相当する。よって、刊行物１発明の「じゃんけん動作の動作態様」は本願発明の「前記選択動作の態様」に相当する。また、刊行物１発明の「演出画像データ」は、本願発明の「画像データ」に相当する。
　よって、刊行物１発明の「遊技者ＰＰのじゃんけん動作の動作態様に対応した演出画像データを予め記憶する画像データメモリ１４２」は、本願発明の「前記選択動作の態様に対応した画像データを予め記憶するデータ記憶手段」に相当する。
（ｅ）　上記（ｃ）で検討したように、刊行物１発明の「遊技者ＰＰのじゃんけん動作を撮影する期間」は、本願発明の「選択期間」に相当する。また、上記（ｄ）で検討したように、刊行物１発明の「じゃんけん動作の動作態様」及び「演出画像データ」は、それぞれ、本願発明の「選択動作の態様」及び「画像データ」に相当する。
　そして、刊行物１発明の、「演出画像データ」を「じゃんけん動作の動作態様」に対応した読み出すための「検知」は、「じゃんけん動作の動作態様」を確定する機能を有する。
　よって、刊行物１発明の「遊技者ＰＰのじゃんけん動作を撮影する期間中に検知された遊技者ＰＰのじゃんけん動作の動作態様に対応する演出画像データを画像データメモリ１４２から読み出す手段（演出制御基板１２）」は本願発明の「前記選択期間において確定した遊技者の選択動作の態様に対応した画像データを前記データ記憶手段から読み出すデータ読み出し手段」に相当する。
（ｆ）　刊行物１発明の「画像データメモリ１４２から読み出された演出画像データ」は、刊行物１発明の構成（ｅ）の「演出画像データを画像データメモリ１４２から読み出す手段」が読み出した「演出画像データ」であるから、本願発明の「当該データ読み出し手段が読み出した画像データ」に相当する。また、刊行物１発明の「演出画像」及び「画像表示装置５」は、それぞれ、本願発明の「画像」及び「表示手段」に相当する。
　したがって、刊行物１発明の「画像データメモリ１４２から読み出された演出画像データに対応する演出画像を画像表示装置５に表示させる手段（演出制御基板１２）」は、本願発明の「当該データ読み出し手段が読み出した画像データに対応した画像を表示手段に表示させる画像表示実行手段」に相当する。
（ｇ）　刊行物１発明の「キャラクタのじゃんけん動作を表す手の画像の画面上での表示」は、これを遊技者が見ることにより、遊技者が勝利するじゃんけん動作を遊技者に認識可能とさせるものであることは明らかである。そして、上記（ｃ）で検討したように、刊行物１発明の「遊技者ＰＰが勝利するじゃんけん動作」は、本願発明の「特典発生態様となる選択動作」に相当する。よって、刊行物１発明の「遊技者ＰＰが勝利するじゃんけん動作」を認識可能とさせることは、本願発明の「前記特典発生態様となる前記選択動作の態様を遊技者に認識可能とさせる」ことを意味する。
　よって、刊行物１発明の「キャラクタのじゃんけん動作を表す手の画像の画面上での表示」は、本願発明の「前記特典発生態様となる前記選択動作の態様を遊技者に認識可能とさせる報知」に相当する。
　また、上記（ｃ）で検討したように、刊行物１発明の「遊技者ＰＰのじゃんけん動作を撮影する期間」は、本願発明の「選択期間」に相当する。
　したがって、刊行物１発明の「キャラクタのじゃんけん動作を表す手の画像の画面上の表示が、遊技者ＰＰのじゃんけん動作を撮影する期間が終了する前になされるようにする手段（演出制御基板１２）」は、本願発明の「前記特典発生態様となる前記選択動作の態様を遊技者に認識可能とさせる報知が、前記選択期間が終了する前に行われ得るようにする手段」に相当する。
　また、刊行物１発明の「パチンコ遊技機１」は、本願発明の「遊技機」に相当する。
　よって、刊行物１発明の構成ｇは、本願発明の構成Ｇに相当する。
　上記（ａ）〜（ｇ）の対比により、本願発明と刊行物１発明とは、　
　　
　［一致点］　
　「Ａ　遊技者が選択動作を行うことを可能とする選択期間を生じさせる選択期間設定手段と、
Ｂ　受光部における受光結果に基づき遊技機前方に存在する監視範囲の状態情報を導出可能な情報導出手段と、
Ｃ　前記状態情報に基づき前記選択動作の態様を特定し、前記選択期間において特典発生態様となる選択動作が行われた後に特典が遊技者に付与されるようにするための付与手段と、
Ｄ　前記選択動作の態様に対応した画像データを予め記憶するデータ記憶手段と、
Ｅ　前記選択期間において確定した遊技者の選択動作の態様に対応した画像データを前記データ記憶手段から読み出すデータ読み出し手段と、
Ｆ　当該データ読み出し手段が読み出した画像データに対応した画像を表示手段に表示させる画像表示実行手段と、
Ｇ　前記特典発生態様となる前記選択動作の態様を遊技者に認識可能とさせる報知が、前記選択期間が終了する前に行われ得るようにする手段と、
を備えていることを特徴とする遊技機。」
で一致し、両者の間に差異はない。　
　したがって、本願発明は、刊行物１発明と同一であり、刊行物１に記載された発明であり、仮に本願発明が刊行物１発明と同一でないとしても、刊行物１発明に基づいて、当業者が容易に発明をすることができたものである。
　そして、本願発明の作用効果も、刊行物１発明から当業者が予測できる範囲のものである。
　なお、請求人は、平成２８年８月１６日付け審判請求書において、
「引用文献１の段落０２６３欄には『また、所定タイミングよりも後に遊技者ＰＰの左手ＬＨにおける形状変化が検知された場合には、例えば「後出しだよ！」といったメッセージを報知するとともに、遊技者ＰＰがじゃんけん動作に勝てなかったものとして、演出動作状態を遷移させるようにしてもよい。』と記載されている。この記載からすると、
画像表示装置５におけるキャラクタ画像ＣＨ２のじゃんけん動作の結果の報知
遊技者のじゃんけん動作の選択期間
と、主張する（下線は当審で付与した。）。
　請求人のこの主張について検討する。
　刊行物１の段落【０２５９】には、「図３２は、特別演出となる演出動作の他の一例として・・・演出画像の表示動作などを示している。」と記載され、段落【０２６１】には、「図３２（Ｃ１）に示すように画像表示装置５の表示領域に「ぽん！」といったメッセージを示す演出画像が表示されるとともに、キャラクタ画像ＣＨ２がじゃんけん動作を行い」と記載され、また、刊行物１の図３２（Ｃ１）には「ぽん！」という文字とともに表示されるキャラクターの手の形状「パー」が図示されているから、上記段落【０２５９】、【０２６１】の記載事項及び図３２（Ｃ１）の図示内容により、特別演出でのじゃんけん動作の実行タイミングで、キャラクタのじゃんけん動作を表す手の画像の画面上で表示がなされるといえる。
　また、刊行物１の段落【０２５０】の「特別演出を終了するタイミングとなったか否かが判定される（ステップＳ６１４）。このとき、特別演出を終了するタイミングであると判定されれば（ステップＳ６１４；Ｙｅｓ）・・・特別演出を終了する設定が行われる（ステップＳ６１５）。また、ステップＳ６１５における終了設定により、カメラ３３の撮影動作を停止させ・・・てもよい。」との記載事項により、「Ｓ６１４」で特別演出の終了判定をし、「Ｓ６１５」でカメラ３３の撮影が停止するといえる。また、刊行物１の図２７には、「特別演出終了？」で「ＹＥＳ」となるかが選択される「Ｓ６１４」の処理と、「Ｓ６１４」の処理の後に行われる「特別演出終了設定」を行う「Ｓ６１５」の処理とが行われるフローチャートが記載され、段落【０２５１】には、「カメラ３３による撮影が開始され、・・・遊技者ＰＰの左手ＬＨが動作態様の検知対象物とされる。」と記載され、段落【０２６０】には「遊技者ＰＰがじゃんけん動作のために左手ＬＨを動作させたときには」と記載されている。したがって、段落【０２５０】〜【０２５１】、【０２６０】の記載事項及び図２７の図示内容により、特別演出の終了判定（「Ｓ６１４；Ｙｅｓ」）は、遊技者ＰＰのじゃんけん動作の撮影が終了（「Ｓ６１５」）する前、すなわち、遊技者のじゃんけん動作の選択期間が終了する前であるといえる。
　よって、キャラクタのじゃんけん動作を表す手の画像の画面上で表示（画像表示装置５におけるキャラクタ画像ＣＨ２のじゃんけん動作の結果の報知）は、特別演出でのじゃんけん動作の実行タイミングでなされる、特別演出中の演出画像の表示動作である以上、遊技者ＰＰのじゃんけん動作を撮影する期間（遊技者のじゃんけん動作の選択期間）が終了する前であることは明らかである。
　以上のことから、請求人の、刊行物１の段落【０２６３】の記載事項からすると「画像表示装置５におけるキャラクタ画像ＣＨ２のじゃんけん動作の結果の報知が、遊技者のじゃんけん動作の選択期間が終了する前に行われる構成ではないと解釈するのが普通である」旨の主張は、採用できない。
６　むすび　　　　
　以上のとおり、本願発明は、特許法第２９条第１項第３号に該当し特許を受けることができないか、又は、特許法第２９条第２項の規定に基づいて特許を受けることができないものである。　
　　　
　したがって、その余の請求項に係る発明について検討するまでもなく、本願は拒絶すべきである。　
　　
　よって、結論のとおり審決する。